(57)【要約】【課題】現場作業者が工事現場の各工程における工事現場画像を漏れなく確実に撮影できることを支援する。【解決手段】工事現場を撮影するシステムは、工事現場における、所定の工程順序に従って各工程における工事現場画像を撮影することを指示する撮影指示データを送信するサーバ１４と、撮影指示データを受信する工事現場撮影装置としてのデジタルカメラ１０を備える。デジタルカメラ１０は、撮影指示データを用いて、工事現場の各工程における工事現場画像を撮影するようにユーザに順次指示し、撮影された各工程における工事現場画像をサーバ１４若しくは異なるサーバに送信する。【選択図】図１
2013125535.tif 000002
【特許請求の範囲】
【請求項１】
工事現場を撮影する装置であって、
前記工事現場における、所定の工程順序に従って各工程における工事現場画像を撮影することを指示する撮影指示データを記憶する記憶手段と、
前記記憶手段に記憶された前記撮影指示データを用いて、前記工事現場の各工程における工事現場画像を撮影するようにユーザに順次指示する指示手段と、
前記ユーザの操作に応答して前記工事現場画像を撮影する撮影手段と、
前記撮影手段で撮影された各工程における前記工事現場画像を、撮影された工程を示す識別データと共にサーバに送信する送信手段と、
を備えることを特徴とする工事現場撮影装置。
【請求項２】
請求項１記載の工事現場撮影装置において、
前記サーバと同一若しくは異なるサーバから送信された前記撮影指示データを受信する受信手段と、
を備えることを特徴とする工事現場撮影装置。
【請求項３】
請求項１，２のいずれかに記載の工事撮影装置において、
前記撮影指示データは、少なくとも第１工程、及び前記第１工程に続く第２工程を含み、
前記指示手段は、前記第１工程における工事現場画像を撮影するように指示した後、前記撮影手段で撮影し、かつ、前記送信手段で送信した後に前記第２工程における工事現場画像を撮影するように指示する
ことを特徴とする工事現場撮影装置。
【請求項４】
請求項３記載の工事現場撮影装置において、
前記指示手段は、前記第１工程における工事現場画像を撮影するように指示した後、前記撮影手段で撮影し、かつ、前記送信手段で送信した後に前記第２工程における工事現場画像を撮影するように自動的に指示する
ことを特徴とする工事現場撮影装置。
【請求項５】
請求項３記載の工事現場撮影装置において、
工程を選択する手動操作可能な操作手段と、
を備え、
前記指示手段は、前記第１工程における工事現場画像を撮影するように指示した後、前記撮影手段で撮影し、かつ、前記送信手段で送信した後に、前記操作手段の操作に応じて前記第２工程における工事現場画像を撮影するように指示する
ことを特徴とする工事現場撮影装置。
【請求項６】
請求項１〜３のいずれかに記載の工事現場撮影装置において、
前記撮影指示データは、前記工事現場毎に異なるデータである
ことを特徴とする工事現場撮影装置。
【請求項７】
工事現場を撮影するシステムであって、
前記工事現場における、所定の工程順序に従って各工程における工事現場画像を撮影することを指示する撮影指示データを送信するサーバと、
前記撮影指示データを受信する工事現場撮影装置と、
を備え、
前記工事現場撮影装置は、
受信した前記撮影指示データを記憶する記憶手段と、
前記記憶手段に記憶された前記撮影指示データを用いて、前記工事現場の各工程における工事現場画像を撮影するようにユーザに順次指示する指示手段と、
前記ユーザの操作に応答して前記工事現場画像を撮影する撮影手段と、
前記撮影手段で撮影された各工程における前記工事現場画像を、撮影された工程を示す識別データと共に前記サーバと同一若しくは異なる第２サーバに送信する送信手段と、
を備えることを特徴とする工事現場撮影システム。
【請求項８】
請求項７記載の工事現場撮影システムにおいて、
前記撮影指示データは、少なくとも第１工程、及び前記第１工程に続く第２工程を含み、
前記指示手段は、前記第１工程における工事現場画像を撮影するように指示した後、前記撮影手段で撮影し、かつ、前記送信手段で送信した後に前記第２工程における工事現場画像を撮影するように指示する
ことを特徴とする工事現場撮影システム。
【請求項９】
請求項７，８のいずれかに記載の工事現場撮影システムにおいて、
前記第２サーバは、前記工事現場撮影装置から送信された工事現場画像を受信し、前記工程を示す識別データに基づいて仕分けして記憶する
ことを特徴とする工事現場撮影システム。
【請求項１０】
請求項７，８のいずれかに記載の工事現場撮影システムにおいて、
前記サーバは、前記工事現場撮影装置の電源オン時に伴って送信される起動コマンドに応じて前記撮影指示データを送信する
ことを特徴とする工事現場撮影システム。
【請求項１１】
請求項７，８のいずれかに記載の工事現場撮影システムにおいて、
前記工事現場撮影装置は、ＧＰＳ装置を備え、
前記サーバは、前記工事現場撮影装置の前記ＧＰＳ装置で検出された測位データに応じて前記撮影指示データを送信する
ことを特徴とする工事現場撮影システム。
【請求項１２】
請求項７〜１１の工事現場撮影システムにおいて、
前記工事現場撮影装置は、デジタルカメラである
ことを特徴とする工事現場撮影システム。
【発明の詳細な説明】
【技術分野】
【０００１】
本発明は、工事現場撮影装置及びシステムに関する。
【背景技術】
【０００２】
工事現場において工事の進捗状況を記録する、工事の進捗状況を管理することを目的として、多数の現場写真を撮影し、これらを建設会社がそれぞれ所定のフォーマットに編集あるいは加工している。
【０００３】
一方、建設の事業計画、調査・設計、施工、維持管理までの施設のライフサイクル全般にわたる各種情報を電子化し、技術情報や取引情報をネットワークを介して交換及び共有して生産性の向上を図るシステムが提案されており、デジタルカメラの技術進歩とあいまって現場写真をデジタルカメラで取得してデジタル画像データ（デジタル写真データ）として効率的に管理、編集、加工しようとの要望が生じている。
【先行技術文献】
【特許文献】
【０００４】
【特許文献１】特開２００２−１５０５４号公報
【特許文献２】特許第４１２１０１７号
【特許文献３】特許第４１７４２９９号
【特許文献４】特許第４３１８４４６号
【特許文献５】特許第４３３０３２７号
【発明の概要】
【発明が解決しようとする課題】
【０００５】
ところで、デジタルカメラなどの撮像手段で撮影した画像データをサーバコンピュータに送信し、サーバコンピュータにおいて画像データを受信して編集し、工事の進捗状況を記録あるいは管理する建設会社の管理端末に送信することで工事管理者が工事の進捗状況をリアルタイムで把握するためには、工事現場の各工程における画像データを確実に取得、編集、管理する必要がある。
【０００６】
しかしながら、一般に工事現場における工程は数百工程に及ぶため、現場作業者が各工程における現場画像を漏れなく撮影することは困難である。従って、例えば、ある工事現場におけるある日の工程が工程ａ、工程ｂ、工程ｃ、工程ｄからなり、これらの各工程における工事現場の画像を撮影する必要があったとしても、現場作業者がこれらの各工程のうちいずれかの工程、例えば工程ｃの工事現場画像を撮影し忘れてしまうことも十分に想定される。特に、全ての工事現場において同一の工程で建築物が建築されるのであればともかく、工事現場毎に工程あるいは工種が種々変化し得ることを考えると、現場作業者が全ての工事現場において全ての工程における工事現場画像を漏れなく撮影することは極めて困難である。
【０００７】
本発明の目的は、現場作業者が工事現場の各工程における工事現場画像を漏れなく確実に撮影できることを支援する装置及びシステムを提供することにある。
【課題を解決するための手段】
【０００８】
本発明は、工事現場を撮影する装置であって、前記工事現場における、所定の工程順序に従って各工程における工事現場画像を撮影することを指示する撮影指示データを記憶する記憶手段と、前記記憶手段に記憶された前記撮影指示データを用いて、前記工事現場の各工程における工事現場画像を撮影するようにユーザに順次指示する指示手段と、前記ユーザの操作に応答して前記工事現場画像を撮影する撮影手段と、前記撮影手段で撮影された各工程における前記工事現場画像を、撮影された工程を示す識別データと共にサーバに送信する送信手段とを備えることを特徴とする。
本発明の１つの実施形態では、前記サーバと同一若しくは異なるサーバから送信された前記撮影指示データを受信する受信手段とを備える。
【０００９】
また、本発明の他の実施形態では、前記撮影指示データは、少なくとも第１工程、及び前記第１工程に続く第２工程を含み、前記指示手段は、前記第１工程における工事現場画像を撮影するように指示した後、前記撮影手段で撮影し、かつ、前記送信手段で送信した後に前記第２工程における工事現場画像を撮影するように指示する。
また、本発明の他の実施形態では、前記指示手段は、前記第１工程における工事現場画像を撮影するように指示した後、前記撮影手段で撮影し、かつ、前記送信手段で送信した後に前記第２工程における工事現場画像を撮影するように自動的に指示する。
【００１０】
また、本発明の他の実施形態では、工程を選択する手動操作可能な操作手段を備え、前記指示手段は、前記第１工程における工事現場画像を撮影するように指示した後、前記撮影手段で撮影し、かつ、前記送信手段で送信した後に、前記操作手段の操作に応じて前記第２工程における工事現場画像を撮影するように指示する。
また、本発明の他の実施形態では、前記撮影指示データは、前記工事現場毎に異なるデータである。
【００１１】
また、本発明は、工事現場を撮影するシステムであって、前記工事現場における、所定の工程順序に従って各工程における工事現場画像を撮影することを指示する撮影指示データを送信するサーバと、前記撮影指示データを受信する工事現場撮影装置とを備え、前記工事現場撮影装置は、受信した前記撮影指示データを記憶する記憶手段と、前記記憶手段に記憶された前記撮影指示データを用いて、前記工事現場の各工程における工事現場画像を撮影するようにユーザに順次指示する指示手段と、前記ユーザの操作に応答して前記工事現場画像を撮影する撮影手段と、前記撮影手段で撮影された各工程における前記工事現場画像を、撮影された工程を示す識別データと共に前記サーバと同一若しくは異なる第２サーバに送信する送信手段とを備えることを特徴とする。
【００１２】
本発明の１つの実施形態では、前記撮影指示データは、少なくとも第１工程、及び前記第１工程に続く第２工程を含み、前記指示手段は、前記第１工程における工事現場画像を撮影するように指示した後、前記撮影手段で撮影し、かつ、前記送信手段で送信した後に前記第２工程における工事現場画像を撮影するように指示する。
【００１３】
また、本発明の他の実施形態では、前記第２サーバは、前記工事現場撮影装置から送信された工事現場画像を受信し、前記工程を示す識別データに基づいて仕分けして記憶する。
【００１４】
また、本発明の他の実施形態では、前記サーバは、前記工事現場撮影装置の電源オン時に伴って送信される起動コマンドに応じて前記撮影指示データを送信する。
また、本発明の他の実施形態では、前記工事現場撮影装置は、ＧＰＳ装置を備え、前記サーバは、前記工事現場撮影装置の前記ＧＰＳ装置で検出された測位データに応じて前記撮影指示データを送信する。
【発明の効果】
【００１５】
本発明によれば、現場作業者が工事現場の各工程における工事現場画像を漏れなく確実に撮影してサーバ側に送信することを支援できる。従って、サーバ側では、当該工事現場の各工程における工事現場画像を漏れなく管理することができ、工事現場に進捗状況や品質を確実かつ一括して管理することが可能である。さらに、工事現場が複数存在する場合に、たとえ各工事現場毎に工程が異なっていても、これに応じて撮影指示データを適応的に変更することで柔軟に対応できるので、汎用性に優れる利点もある。なお、工事現場の管理会社が異なる場合、各管理会社毎に工程管理が異なる場合も想定されるが、本発明では各管理会社毎の工程管理に合わせて撮影指示データをカスタマイズすることで容易に対応可能である。
【図面の簡単な説明】
【００１６】
【図１】実施形態のシステム構成図である。
【図２】デジタルカメラの構成図である。
【図３】デジタルカメラの背面図である。
【図４】ＡＳＰサーバの構成図である。
【図５】実施形態の処理フローチャートである。
【図６】撮影指示データの一例を示す説明図である。
【図７】実施形態の画面遷移説明図である。
【図８】実施形態のサーバ側の処理フローチャートである。
【発明を実施するための形態】
【００１７】
以下、図面に基づき本発明の実施形態について説明する。
【００１８】
まず、本実施形態における工事現場撮影システムのシステム構成図を示す。システムは、デジタルカメラ１０、メールサーバ（メールサーバコンピュータ）１４、ＡＳＰサーバ（ＡＳＰサーバコンピュータ）１６、管理端末（端末装置）１８，２０を含んで構成される。デジタルカメラ１０、メールサーバ１４、ＡＳＰサーバ１６、管理端末１８，２０はそれぞれ無線あるいは有線でインターネット１２に接続される。
【００１９】
工事現場撮影装置としてのデジタルカメラ１０は、工事現場の作業者により操作される。作業者は、デジタルカメラ１０を操作して工事現場の各工程における工事現場画像を撮影する。デジタルカメラ１０は、無線によりインターネット１２に接続される。作業者は、デジタルカメラ１０で撮影した工事現場の各工程における画像データをインターネット１２を介してメールサーバ１４に送信する。すなわち、作業者は、撮影した工事現場写真の画像データを電子メール形式でメールサーバ１４に送信する。デジタルカメラ１０から電子メール形式で工事現場の各工程における画像データ等を送信する際の宛先、すなわちメールアドレスは、予めデジタルカメラ１０内のメモリに記憶されており、作業者はデジタルカメラ１０の送信ボタンを操作するのみで所望の宛先に電子メールを送信することができる。画像データは、電子メールの添付ファイルとしてメールサーバ１４に送信される。画像データ等がＪＰＥＧフォーマットの場合、ＪＰＥＧフォーマットをＢａｓｅ６４等のエンコーダを用いてテキストデータに変換する。
【００２０】
デジタルカメラ１０は、工事現場を撮影するに際し、前もって、インターネット１２を介して撮影指示データ（あるいは撮影指示プログラム）を受信する。撮影指示データは、例えばメールサーバ１４から送信される。撮影指示データ（あるいは撮影指示プログラム）は、現場作業者がデジタルカメラ１０で撮影すべき工事現場における、予め定められた工程順序に従って各工程における工事現場画像を順次撮影することを指示するデータ（あるいはプログラム）である。インターネット１２を介して受信した撮影指示データは、デジタルカメラ１０のメモリに記憶される。デジタルカメラ１０は、受信しメモリに記憶したこの撮影指示データに従って、デジタルカメラ１０のユーザである現場作業者に対し、各工程毎に撮影することを順次指示する。現場作業者は、この指示に従って各工程における工事現場画像データを撮影する。
【００２１】
メールサーバ１４は、デジタルカメラ１０から送信された電子メールを受信し、電子メールに添付された工事現場の画像データを抽出する。メールサーバ１４は、抽出した工事現場の画像データをＡＳＰサーバ１６に送信する。メールサーバ１４は、インターネット１２を介して工事現場の画像データをＡＳＰサーバ１６に送信するが、インターネット１２の代わりに専用回線を介してＡＳＰサーバ１６に送信することもできる。専用回線は公衆回線あるいは非公衆回線のいずれかである。デジタルカメラ１０において複数の工事現場画像を撮影し、これら複数の工事現場の画像データを１通ずつ電子メール形式でメールサーバ１４に送信した場合、メールサーバ１４は複数の電子メールを受信する。この場合、メールサーバ１４は、各電子メールのサブジェクト（件名）内のデータに基づいて工事現場の画像データを仕分けしてＡＳＰサーバ１６に送信する。サブジェクト内のデータは、プロジェクト番号であり、フォルダプロジェクト番号である。デジタルカメラ１０においては、送信先毎にフォルダが形成されており、撮影した工事現場の画像データはデジタルカメラ１０内の各フォルダにまとめて記憶される。同一送信先に異なる複数の工事現場の画像データを送信する場合、単一のフォルダではこれら複数の画像データを互いに区別することはできない。そこで、デジタルカメラ１０では、これら複数の画像データを各フォルダに付されたプロジェクト番号で管理する。プロジェクト番号は、デジタルカメラ１０のプロセッサによって電子メールのサブジェクト（件名）に自動的に挿入される。メールサーバ１４は、サブジェクト内のプロジェクト番号を用いて工事現場の画像データを仕分けしてＡＳＰサーバ１６に送信する。また、各電子メールのサブジェクト内のデータには、プロジェクト番号に加えて当該工事現場における各工程を示す識別データが含まれる。この識別データは、例えば各工程を識別するための付与された数字である。メールサーバ１４は、サブジェクト内の工程識別データを用いて工事現場の画像データをさらに各工程毎に仕分けることができる。デジタルカメラ１０のプロセッサは、インターネット１２を介して受信した撮影指示データに基づいて、この工程識別データを生成する。もちろん、デジタルカメラ１０は、電子メールのサブジェクトに工程識別データを含めるのではなく、工事現場の画像データのメタデータとして含めてもよい。
【００２２】
ＡＳＰサーバ１６は、メールサーバ１４から送信されたプロジェクト番号毎及び工程毎の工事現場の画像データをデータベースに記憶し、各プロジェクト番号毎及び工程毎に記憶された工事現場の画像データを用いて所定のフォーマットに編集あるいは加工してファイルデータを生成する。ＡＳＰサーバ１６は、また、メールサーバ１４から工事現場の画像データを受信したときに、電子メールのサブジェクトに含まれるデジタルカメラ１０のＩＤに基づいて、そのデジタルカメラ１０を管理する管理端末を特定し、特定した管理端末にインターネット１２を介して受信通知を送信する。例えば、管理会社Ａが管理端末１８のユーザであり、デジタルカメラ１０を操作する作業者を管理するものとする。ＡＳＰサーバ１６は、デジタルカメラ１０のＩＤに基づいてデジタルカメラ１０を管理するのが管理会社Ａであり、管理会社Ａは管理端末１８のユーザであるから、デジタルカメラ１０を管理する管理端末として管理端末１８を特定する。また、デジタルカメラ１０以外に他のデジタルカメラが存在するものとし、管理会社Ｂが管理端末２０のユーザであり、当該他のデジタルカメラを操作する作業者を管理するものとすると、ＡＳＰサーバ１６は、当該他のデジタルカメラのＩＤに基づいて当該他のデジタルカメラを管理するのが管理会社Ｂであり、管理会社Ｂは管理端末２０のユーザであるから、当該他のデジタルカメラを管理する管理端末として管理端末２０を特定する。
【００２３】
管理会社の管理者は、現場写真の画像データファイルが必要な場合には、管理端末１８あるいは管理端末２０を用いてＡＳＰサーバ１６にアクセスし、ＡＳＰサーバ１６にて編集あるいは加工されたファイルデータを取得して管理端末１８あるいは管理端末２０の表示装置に表示させる。管理者は、管理端末１８あるいは管理端末２０の表示装置に表示されたファイルデータを視認することで、工事現場においてデジタルカメラ１０あるいは他のデジタルカメラで撮影された工事現場の各工程における画像データを確認し、工事の状況を確認することができる。
【００２４】
図２に、デジタルカメラ１０の構成ブロック図を示す。デジタルカメラ１０は、ＣＭＯＳやＣＣＤ等のセンサ（イメージセンサ）１０ａ、ＤＳＰ（デジタルシグナルプロセッサ）１０ｂ、ＣＰＵ１０ｃ、メモリインタフェース（Ｉ／Ｆ）１０ｄ、ＪＰＥＧコーデック１０ｅ、メモリ１０ｆ、通信インタフェース（Ｉ／Ｆ）１０ｇ及びプログラムメモリ１０ｍを備える。なお、公知であるために図には示していないが、デジタルカメラ１０は焦点レンズやズームレンズ、シャッタ、絞り等の光学系も備えており、光学系によって被写体像をセンサ１０ａに結像する。
【００２５】
センサ１０ａは、被写体である工事現場の像を電気信号に変換する。電気信号はデジタル画像信号に変換され、ＤＳＰ１０ｂに供給される。
【００２６】
ＤＳＰ１０ｂは、デジタル画像データに対し、ゲイン補正（ホワイトバランス感度設定）、ガンマ補正、同時化処理、ＲＧＢ−ＹＣ変換処理、ノイズ低減処理、輪郭補正等の各種処理を実行する。
【００２７】
ＪＰＥＧコーデック１０ｅは、ＤＳＰ１０ｂで処理されたデジタル画像データをＪＰＥＧフォーマットに変換圧縮し、現場写真の画像データとしてメモリ１０ｆに格納する。メモリ１０ｆは、例えばフラッシュメモリである。
【００２８】
ＣＰＵ１０ｃは、工事現場の画像データ等をメモリ１０ｆに格納する際に、送信先毎に作成されたフォルダにて一括管理する。例えば、送信先が２箇所ある場合、それぞれの送信先番号を有するフォルダが作成される。ＣＰＵ１０ｃは、各送信先フォルダにプロジェクト番号を初期値から順に付与していく。撮影日時も同時にメモリ１０ｆに格納される。さらに、工事現場の画像データについての基本的なデータ、例えば撮影時の状況や撮影部位のデータもメモリ１０ｆに格納される。ＣＰＵ１０ｃは、工事現場の画像データをメールサーバ１４に送信する場合、送信先フォルダ内に格納されている工事現場の画像データを電子メールの添付ファイルとしてテキストデータに変換して送信する。また、電子メールのサブジェクト（件名）にプロジェクト番号等のデータをメモリ１０ｆから読み出して自動的に挿入する。なお、複数の工事現場の画像データのそれぞれには、初期値からインクリメントしたユニークなファイル名が付される。
【００２９】
送信先フォルダのプロジェクト番号は、１から順次インクリメントされるが、その上限は例えば１０と固定することができる。プロジェクト番号が１０までいくと、プロジェクト番号は再び１に戻る。プロジェクト番号に加え、プロジェクト名を入力してもよい。プロジェクト名は、具体的には工事現場の名称や工事対象の建築物の名称等である。例えば、建築物がＡさんの家である場合には、「Ａ邸」等である。プロジェクト番号及びプロジェクト名は、撮影指示データの一部としてインターネット１２を介して受信される。
【００３０】
ＣＰＵ１０ｃは、通信インタフェースＩ／Ｆ１０ｇを介してメールサーバ１４から撮影指示データを受信すると、当該撮影指示データをプログラムメモリ１０ｍに記憶する。撮影指示データは、その工事現場においてその日に行われ撮影されるべき複数の工程を順序とともに規定したデータである。例えば、ある「Ａ邸」においてある日に行われ撮影されるべき複数の工程が工程ａ、工程ｂ、工程ｃ、工程ｄである場合、これら工程ａ〜工程ｄをその順序とともに規定する。各工程を規定するために、その工程を識別する工程識別で−タ及び工程の名称が用いられる。工程識別データは数字を用いることができ、「２０７７」等と表される。
【００３１】
ＣＰＵ１０ｃは、撮影指示データをプログラムメモリ１０ｍに記憶すると、この撮影指示データをプログラムメモリ１０ｍから読出し、撮影指示データに従って現場作業者に対して順次撮影すべき工程を指示する。現場作業者は、ＣＰＵ１０ｃからの指示に従って各工程における工事現場の画像データを撮影する。すなわち、上記の工程ａ〜工程ｄに即して説明すると、撮影指示データは、工程ａ、工程ｂ、工程ｃ、工程ｄをこの順序で規定しており、ＣＰＵ１０ｃは、まず工程ａを撮影すべきことを現場作業者に指示する。指示の方法は任意であるが、デジタルカメラ１０のＥＶＦに表示する、液晶モニタに表示する、音声で報知する等である。具体的には、ＣＰＵ１０ｃは、まず工程ａを撮影すべきことをＥＶＦあるいは液晶モニタに表示して指示する。現場作業者は、ＥＶＦあるいは液晶モニタに表示された工程ａを確認し、工程ａにおける工事現場の画像を撮影する。次に、ＣＰＵ１０ｃは、工程ｂを撮影すべきことをＥＶＦあるいは液晶モニタに表示して指示する。現場作業者は、ＥＶＦあるいは液晶モニタに表示された工程ｂを確認し、工程ｂにおける工事現場の画像を撮影する。以下、同様にして、順次、工程ａ、工程ｂ、工程ｃ、工程ｄの撮影を指示する。工程ａの工事現場の画像が撮影されて送信されない限り、ＣＰＵ１０ｃは次の工程ｂの指示を行わない。これにより、現場作業者は、漏れなく確実に全ての工程の工事現場の画像を撮影することができる。ＣＰＵ１０ｃは、撮影画像を処理してメモリ１０ｆに記憶するとともに、通信インタフェース１０ｇを用いてメールサーバ１４に送信する。なお、撮影指示データを用いた撮影指示については、さらに後述する。
【００３２】
図３に、デジタルカメラ１０の背面図を示す。デジタルカメラ１０の背面には、ＥＶＦ１０ｈ及び３つのボタン１０ｉが設けられる。なお、デジタルカメラ１０はインターネット１２を介してサーバ側と通信を行うため、通信インタフェース１０ｇを含む通信モジュール１０ｇが内蔵されているが、通信モジュール１０ｇを小型化してＥＶＦ１０ｈの代わりに、あるいはＥＶＦ１０ｈに加えて液晶モニタを背面に設けてもよい。また、デジタルカメラ１０の上面の所定位置にはシャッタボタン１０ｊが設けられる。
【００３３】
ＥＶＦ１０ｈには、ＣＰＵ１０ｃにより撮影指示データに基づく各工程が順次表示される。各工程は４桁の数字で表され、この４桁の数字がＥＶＦ１０ｈの所定位置に表示される。現場作業者は、ＥＶＦ１０ｈに表示された工程を確認し、シャッタボタン１０ｊを押下操作してその工程の工事現場画像を撮影する。撮影された工事現場の画像は、現場作業者のさらなる操作を要することなくインターネット１２を介してメールサーバ１４に自動送信される。シャッタボタン１０ｊは、撮影ボタンと撮影画像の送信ボタンを兼用していると言える。
【００３４】
３つのボタン１０ｉは、ボタン１、ボタン２、ボタン３から構成される。ボタン１は、プロジェクト番号及びプロジェクト名、具体的には建築物の邸名や邸番号を選択するボタンである。邸名や邸番号は、撮影指示データの一部としてインターネット１２を介してメールサーバ１４から受信するが、工事現場が複数存在して撮影指示データも工事現場毎に複数存在する場合、このボタン１を操作してこれから撮影しようとする工事現場を特定するために邸名及び邸番号を選択する。もちろん、単一の工事現場であり、邸名及び邸番号が単一であっても、このボタン１を操作することでこれから撮影しようする工事現場を選択し特定することは有用である。現場作業者は、ボタン１を用いたこの邸名、邸番号の選択操作により、自分が確かに正しい工事現場に存在することを改めて確認することができる。ボタン２は、工程識別番号を選択するボタンである。このボタン２を操作することで、ＣＰＵ１０ｃは、次の工程識別番号をＥＶＦ１０ｈに表示する。ボタン２を省略し、ＣＰＵ１０ｃは撮影画像を送信した後に自動的に次の工程識別番号にインクリメントしてＥＶＦ１０ｈに表示することもできる。ボタン３は、現場作業者が撮影済の工事現場画像を確認するために操作するボタンである。このボタン３を操作することで、撮影済画像がメモリ１０ｆから読み出されてＥＶＦ１０ｈあるいは液晶モニタに表示される。
【００３５】
図４に、ＡＳＰ（アプリケーションサービスプロバイダ）サーバ１６の構成ブロック図を示す。ＡＳＰサーバ１６は、通信インタフェース（Ｉ／Ｆ）１６ａ、ＣＰＵ１６ｂ、ＲＯＭやＲＡＭ等のメモリ１６ｃ、ユーザ属性を記憶するユーザ属性データベース（ＤＢ）１６ｄ、工事現場の画像データを記憶する画像データベース（ＤＢ）１６ｅ、画像データを所定のファイルフォーマットに編集、加工して得られたファイルデータを記憶するファイルデータベース（ＤＢ）１６ｆを備える。
【００３６】
ユーザ属性データベース１６ｄは、ユーザである管理会社（あるいは管理会社の担当者）の基本情報、具体的には名称、住所、管理端末１８（あるいは管理端末２０）のＩＰアドレス、管理会社が管理するデジタルカメラ１０のＩＤを対応付けてテーブルとして記憶する。例えば、デジタルカメラ１０として、デジタルカメラＡ，デジタルカメラＢ，デジタルカメラＣ，デジタルカメラＤ，デジタルカメラＥの５個のデジタルカメラがあり、これらが全てある管理者により管理されるものとすると、管理者の名称と管理端末１８とデジタルカメラＡ〜デジタルカメラＥのそれぞれのＩＤが対応付けてテーブルとして記憶される。このテーブルを参照することで、管理者が管理するデジタルカメラがどれかを特定することができる。また、ユーザ属性データベース１６ｄは、さらにユーザである管理会社毎のユーザＩＤやパスワードを記憶する。
【００３７】
ＣＰＵ１６ｂは、ユーザ属性データベース１６ｄに記憶されたテーブルを用いてどのデジタルカメラから工事現場の画像データが送信され、どの管理端末に対して受信完了通知を送信するかを決定する。また、管理端末１８（あるいは管理端末２０）からの要求に応じ、工事現場の画像データを前記画像データベース１６ｅあるいはファイルデータベース１６ｆから読み出して管理端末１８（あるいは管理端末２０）に送信する。ＡＳＰサーバ１６の各種処理は、基本的にＣＰＵ１６ｂで実行される。
【００３８】
図５に、本実施形態の処理フローチャートを示す。
【００３９】
まず、現場作業者が工事現場に到着すると、デジタルカメラ１０の電源をオンする（Ｓ１０１）。すると、デジタルカメラ１０のＣＰＵ１０ｃは、起動コマンドを通信インタフェース１０ｇからインターネット１２を介してメールサーバ１４に送信する。起動コマンドにはデジタルカメラ１０を特定するためのＩＤが含まれる。メールサーバ１４はこの起動コマンドに応じ、デジタルカメラ１０のＩＤに応じ、予め定められた撮影指示データをデジタルカメラ１０に送信する。撮影指示データはインターネット１２を介してデジタルカメラ１０に送信されるが、電話回線等の他の通信回線を用いてもよい。撮影指示データは、既述したように、その日のうちにデジタルカメラ１０で撮影すべき工程をその順序とともに規定したデータである。
【００４０】
図６に、撮影指示データの一例を示す。図において、符号３０は工種、符号３２は工程識別番号、符号３４は撮影項目の説明、符号３６は工程名をそれぞれ表す。工程識別番号３２は、現場作業者に撮影すべき工程を示す番号であり、撮影コードとも言い得る。工種「解体」が３８ａ〜３８ｃの工程群から構成され、工程群３８ａ、３８ｂ、３８ｃがそれぞれ１日分の工程であるとすると、メールサーバ１４は、撮影指示データとして工程群３８ａの各工程をその順序とともに規定して送信する。次の日は撮影指示データとして工程群３８ｂ、また次の日は撮影指示データとして工程群３８ｃを送信する。図６に示される撮影指示データは、工事現場毎、すなわちプロジェクト名あるいは邸名毎に異なる。従って、「Ａ邸」のデジタルカメラ１０には図６に示される撮影指示データが送信され、「Ｂ邸」のデジタルカメラ１０には図６と異なる撮影指示データが送信される。従って、それぞれのデジタルカメラ１０には、工事現場毎に異なる撮影指示データが受信され記憶される。
【００４１】
再び図５に戻り、デジタルカメラ１０は、メールサーバ１４から送信された撮影指示データを受信(ダウンロード)する（Ｓ１０２）。受信した撮影指示データはプログラムメモリ１０ｍに記憶される。
【００４２】
なお、デジタルカメラ１０の電源をオンしたタイミングで撮影指示データを受信するのではなく、工事現場の電源をオンしてデジタルカメラ１０をこの電源で充電するタイミングで撮影指示データを受信することも好適であろう。工事現場の電源は、工事の開始とともにオンされ、工事の終了とともにオフされるため、工事現場の電源オンに同期して撮影指示データを受信するのは都合がよい。
【００４３】
次に、デジタルカメラ１０のＣＰＵ１０ｃは、プログラムメモリ１０ｍに記憶された撮影指示データに従って、工程識別番号をＥＶＦ１０ｈに表示することで現場作業者に撮影を指示する（Ｓ１０３）。図６に即して説明すると、工程群３８ａに関しては、７個の工程から構成され、その順序を工程識別番号で示すと、
２０７７→２０７８→２０７９→２０８０→２０８１→２０８２→２０８３
であり、デジタルカメラ１０のＣＰＵ１０ｃは、まず「２０７７」をＥＶＦ１０ｈに表示する。
【００４４】
工程識別番号をＥＶＦ１０ｈに表示した後、デジタルカメラ１０のＣＰＵ１０ｃは、現場作業者がこの指示に応答してシャッタボタン１０ｊを押下操作し、工事現場を撮影したか否かを判定する（Ｓ１０４）。シャッタボタン１０ｊが操作されず撮影されていない場合には、引き続きＥＶＦ１０ｈに当該工程識別番号を表示し続ける。一方、現場作業者がシャッタボタン１０ｊを押下操作して工事現場を撮影した場合には、ＣＰＵ１０ｃはその工事現場の画像データをインターネット１２を介してメールサーバ１４に送信（アップロード）する（Ｓ１０５）。
【００４５】
工事現場の画像データを送信した後、ＣＰＵ１０ｃは、撮影指示データ内の全ての工程を撮影したか否かを判定する（Ｓ１０６）。具体的には、撮影指示データの各工程に撮影完了フラグを設定し、全ての工程に撮影完了フラグが設定されているか否かを判定する。あるいは、撮影指示データの各工程にポインタを設定し、各工程の撮影が終了する毎にポインタをインクリメントしていくことで判定してもよい。撮影指示データ内の全ての工程を撮影していない場合には、次の工程識別番号に移行して再びＳ１０３以降の処理を繰り返す（Ｓ１０７）。
【００４６】
Ｓ１０７の処理は、上記のように現場作業者のボタン操作に応じて次の工程識別番号に移行してもよく、あるいはＣＰＵ１０ｃが自動的に次の工程識別番号に移行してもよい。前者の場合、現場作業者のボタン２の操作に応じて次の「２０７８」が表示され、後者の場合、撮影データが自動送信された後に自動的に次の「２０７８」が表示される。
【００４７】
ここで、ＥＶＦ１０ｈに表示された工程識別番号で特定される工程の工事現場が撮影されない限り、次の工程識別番号はＥＶＦ１０ｈに表示されない点に留意されたい。従って、たとえ「２０７７」が表示されており、現場作業者が当該工程の工事現場を撮影せずに誤って、あるいは意図的にボタン２を押下操作したとしても、ＣＰＵ１０ｃは未だ「２０７７」の工程の工事現場の画像データを撮影して送信していないとして、この操作を無視して「２０７７」を表示し続ける。これにより、各工程の撮影漏れが確実に防止される。
【００４８】
以上の処理を繰り返し、撮影指示データ内の全ての工程の工事現場を撮影し、その画像データを送信した場合、ＣＰＵ１０ｃは処理を終了する。なお、全ての工程の工事現場の撮影・送信が終了した場合、その旨を報知するメッセージをＥＶＦ１０ｈあるいは液晶モニタに表示し、あるいは音声出力してもよい。
【００４９】
図７に、デジタルカメラ１０のＥＶＦ１０ｈ（あるいは液晶モニタ）に表示される画面の遷移図を示す。図７（ａ）は、撮影指示データを受信中の画面であり、ＥＶＦ１０ｈには「撮影指示データダウンロード中」のメッセージが表示される。なお、撮影指示データを受信してプログラムメモリ１０ｍに記憶する前には、ＥＶＦ１０ｈに「撮影指示データを受信して下さい」等とメッセージを表示してもよい。また、撮影指示データを受信してプログラムメモリ１０ｍに記憶する前には、シャッタボタン１０ｊをロックして撮影操作を禁止してもよく、あるいはシャッタボタン１０ｊの操作は可能であっても撮影データをメモリ１０ｆに記憶することなく自動的に消去してもよい。要するに、撮影指示データは、デジタルカメラ１０を撮影装置として機能させるために必須のデータあるいはプログラムとして位置付けることができ、これにより現場作業者のデジタルカメラ１０の工事現場とは無関係の私用を効果的に禁じることができる。
【００５０】
図７（ｂ）は、撮影指示データを受信してプログラムメモリ１０ｍに記憶した後、この撮影指示データに従って工程識別番号を表示した画面である。画面右下に「２０７７」と表示されるのが工程識別番号３２である。なお、図では工程識別番号３２とともにプロジェクト名、すなわち邸名も表示される。なお、現場作業者の注意を喚起するために、工程識別番号を他のメニュー表示とは異なる色で表示する、あるいは工程識別番号のみを点滅させる等も可能であろう。さらに、現場作業者がボタン１０ｉあるいは他のボタンを操作した場合、撮影指示データに含まれる工程名、具体的には図６の符号３６で示される工程名を工程識別番号３２とともに表示してもよい。これにより、現場作業者は工程識別番号で特定される工程の内容を再確認し、どの工程を撮影すべきかを再確認することができる。
【００５１】
図７（ｃ）は、工程識別番号「２０７７」の工程を撮影して送信した後の画面である。画面右下に「２０７８」と次の工程識別番号が表示される。現場作業者は、この工程識別番号を視認することで、次に撮影すべき工程を確認することができる。
【００５２】
図７（ｄ）は、撮影指示データ内の全ての工程を撮影した後の画面である。画面右下に「終了」のメッセージが表示され、全ての工程を撮影し送信したことが表示される。現場作業者は、この「終了」メッセージを視認することで、全ての工程を漏れなく撮影したことを確認することができる。
【００５３】
図８に、メールサーバ１４及びＡＳＰサーバ１６の基本処理フローチャートを示す。メールサーバ１４のＣＰＵ及びＡＳＰサーバ１６のＣＰＵ１６ｂの処理である。まず、メールサーバ１４は、デジタルカメラ１０から送信された電子メールを順次受信する（Ｓ２０１）。電子メールには、各工程の工事現場の画像データが添付されている。
【００５４】
次に、メールサーバ１４は、受信した電子メールのサブジェクトに含まれるプロジェクト番号毎及び工程毎に工事現場の画像データを仕分けしてＡＳＰサーバ１６に送信する(Ｓ２０２)。ＡＳＰサーバ１６は、メールサーバ１４からの工事現場の画像データを受信し、プロジェクト番号及び工程毎に仕分けして画像データベース１６ｅに記憶する。
【００５５】
次に、ＡＳＰサーバ１６は、電子メールのサブジェクト内のＩＤから、そのＩＤに対応するデジタルカメラ１０を管理する管理会社の管理端末を、ユーザ属性データベース１６ｄに記憶されたテーブルを用いて識別あるいは特定する（Ｓ２０３）。ユーザ属性データベース１６ｄに記憶されたテーブルでは、複数のデジタルカメラのそれぞれにＩＤが割り当てられ、複数のデジタルカメラのそれぞれのＩＤ毎に管理端末が割り当てられているので、たとえ複数のデジタルカメラから電子メールが送信されたとしても、ＡＳＰサーバ１６は電子メールのサブジェクトに含まれるＩＤから管理端末を特定することができる。
【００５６】
次に、ＡＳＰサーバ１６は、識別あるいは特定した管理端末に対して電子メールの受信完了を通知する（Ｓ２０４）。受信完了通知には、デジタルカメラのＩＤ、受信した画像枚数、撮影日時の各データが含まれる。これらはいずれも受信した電子メールのサブジェクトに含まれるデータである。また、ＡＳＰサーバ１６は、データベースからプロジェクト番号毎及び工程毎に記憶されている工事現場の画像データを画像データベース１６ｅから読み出し、所定のファイルフォーマットに編集してファイルデータベース１６ｆに記憶する（Ｓ２０５）。なお、図では管理端末に受信完了を通知した後に画像データを所定のフォーマットに編集しているが、画像データを所定のフォーマットに編集した後に管理端末に受信完了を通知することもできる。
【００５７】
ファイルフォーマットは、ユーザ属性データベース１６ｄに記憶されるユーザ属性に基づいて決定される。但し、受信した電子メールの本文にファイルフォーマットに関するデータが含まれている場合には、このフォーマットデータに基づいて編集することもできる。
【００５８】
受信完了通知を受信した管理端末は、ＡＳＰサーバ１６に対して工事現場の画像データを要求する。例えば、ＡＳＰサーバ１６が特定した管理端末が管理端末１８であり、ＡＳＰサーバ１６が受信完了通知を管理端末１８に送信すると、管理端末１８のユーザである管理会社の担当者は、管理端末１８を用いて受信完了通知を確認する。そして、管理会社の担当者は、この受信完了通知を確認した後、管理端末１８からインターネット１２を介してＡＳＰサーバ１６に対して工事現場の画像データの送信を要求する。ＡＳＰサーバ１６は、管理端末から画像データ送信の要求を受信すると、ファイルデータベース１６ｆに記憶されている編集済みの画像データを当該管理端末に送信する（Ｓ２０６）。
【００５９】
より詳細に説明すると、以下のとおりである。すなわち、管理端末１８のユーザは、ＡＳＰサーバ１６から受信完了通知を受信すると、管理端末１８を用いてＡＳＰサーバ１６にアクセスする。ＡＳＰサーバ１６は、管理端末１８からアクセス要求があると、ユーザ名及びパスワードの入力を要求する。管理端末１８のユーザは、この要求に応じてＡＳＰサーバ１６に対してユーザ名及びパスワードを入力して送信する。ＡＳＰサーバ１６は、管理端末１８からユーザ名及びパスワードを受信すると、ユーザ属性データベース１６ｄに記憶されたユーザ名及びパスワードと受信したユーザ名及びパスワードとを照合し、正しいユーザであるか否かを確認する（ユーザ認証）。ユーザ認証が完了すると、次に管理端末１８のユーザは必要なファイルを要求する処理に移行する。ファイルの種類としては、デジタルカメラ毎の表示、写真一覧、スライドショー、マトリクスがある。
【００６０】
なお、管理端末１８にファイルを送信するのではなく、ＡＳＰサーバ１６から管理者の有するサーバに画像データをそのまま転送してもよい。画像データは、プロジェクト番号毎及び工程毎に仕分けされて管理者の有するサーバに記憶される。管理者は、記憶された画像データをさらに独自に編集・加工して工事の進捗状況を独自に管理することができる。
【００６１】
このように、本実施形態では、現場作業者が作業する工事現場における、複数の工程をその順序とともに規定した撮影指示データをデジタルカメラ１０に送信し、デジタルカメラ１０がこの撮影指示データを受信して記憶し、この撮影指示データに従って各工程を順次現場作業者に指示することで各工程の工事現場の撮影を支援するものであり、現場作業者は撮影指示に従って撮影すればよいので、撮影のし忘れを確実に防止することができる。
【００６２】
以上、本実施形態について説明したが、本発明はこれに限定されるものではなく、種々の変形が可能である。
【００６３】
例えば、本実施形態では、撮影指示データをインターネット１２を介してメールサーバ１４からデジタルカメラ１０に送信しているが、デジタルカメラ１０に予め撮影指示データをプリインストールした上で現場作業者に貸与することもできる。この場合、現場作業者が工事現場に到着してデジタルカメラ１０の電源をオンすると、ＣＰＵ１０ｃはプログラムメモリ１０ｍにプリインストールされた撮影指示データを読み出して、最初の工程の工程識別番号をＥＶＦ１０ｈに表示して撮影指示する。撮影指示データはその日の全工程をその順序とともに規定しており、その日の全工程の工事現場が撮影されて返却された後、翌日には新たな撮影指示データをプログラムメモリ１０ｍにプリインストールして現場作業者に貸与される。
【００６４】
また、本実施形態において、メールサーバ１４から撮影指示データをデジタルカメラ１０に送信する場合に、デジタルカメラ１０にＧＰＳ装置を設け、電源オン時にＧＰＳ装置で検出された測位データを起動コマンドとともにメールサーバ１４に送信し、メールサーバ１４においてデジタルカメラ１０が所定の工事現場の位置及びその近傍に存在していることを測位データを用いて判定した上で撮影指示データをデジタルカメラ１０に送信してもよい。これにより、工事現場以外での目的外撮影をより確実に防止することができよう。
【００６５】
また、本実施形態では、メールサーバ１４から撮影指示データをデジタルカメラ１０に送信しているが、メールサーバ１４以外のサーバ、例えばＡＳＰサーバ１６や別のサーバから送信することもできる。すなわち、撮影指示データを送信するサーバと、デジタルカメラ１０から送信された工事現場の画像データを受信するサーバは、必ずしも同一である必要はなく、互いに異なっていてもよい。
【００６６】
また、本実施形態では、電子メールの件名にプロジェクト番号及び工程識別番号を付与してメールサーバに送信しているが、プロジェクト番号及び工程識別番号を共に画像データのメタデータとしてメールサーバ１４に送信してもよい。要するに、デジタルカメラ１０は、サーバ側でプロジェクト及び工程が識別可能な態様で送信すればよい。サーバ側では、プロジェクト毎及び工程毎には画像データを仕分けるから、特定の工程の画像データが存在していない（いわゆる画像データの抜け）ことを容易に認識できる。なお、管理者の有するサーバ側でも撮影指示データを記憶しておき、ＡＳＰサーバ１６から送信された画像データと工程毎に照合することで、全ての工程の画像データが存在するか否か、画像データの抜けがないか否かを管理者側でも容易に認識することができよう。
【００６７】
さらに、本実施形態において、撮影指示データに工種を含めてもよい。この場合、図７（ｂ）、（ｃ）に示す画面には、邸名、工程識別番号に加えて工種あるいは工種識別番号を表示してもよい。また、工種及び工程を手動選択する際には、ボタン２を押下操作してまず工種を選択し、次にボタン２を再度押下操作して工程を選択するようにしてもよい。例えば、現場作業者が午前中に「Ａ邸」で作業を行い、午後に「Ｂ邸」で作業を行うものと仮定する。デジタルカメラ１０には、「Ａ邸」における撮影指示データ（これを撮影指示データＡと称する）及び「Ｂ邸」における撮影指示データ（これを撮影指示データＢと称する）がプログラムメモリ１０ｍに予めプリインストールされて現場作業者に貸与される。現場作業者がまず「Ａ邸」に到着すると、ボタン２を操作して撮影指示データＡの工種及び最初の工程を選択する。以後は、ＣＰＵ１０ｃが撮影指示データＡに従って自動的に工程を順次指示する。午前の作業が終了し、現場作業者が午後に「Ｂ邸」に到着すると、ボタン２を操作して撮影指示データＢの工種及び最初の工程を選択する。以後は同様にＣＰＵ１０ｃが撮影指示データＢに従って自動的に工程を順次指示する。もちろん、デジタルカメラ１０にＧＰＳ装置を設けるとともに、撮影指示データＡ及び撮影指示データＢのそれぞれにそのデータが有効となる位置データを付加しておき、ＧＰＳ装置の測位データと位置データとを照合して、デジタルカメラ１０の存在位置に応じて有効と考えられる撮影指示データを自動的に切り替えることも可能である。
【符号の説明】
【００６８】
１０  デジタルカメラ、１２  インターネット、１４  メールサーバ、１６  ＡＳＰサーバ、１８，２０  管理端末。
【図１】
2013125535.tif 000003
【図２】
2013125535.tif 000004
【図３】
2013125535.tif 000005
【図４】
2013125535.tif 000006
【図５】
2013125535.tif 000007
【図６】
2013125535.tif 000008
【図７】
2013125535.tif 000009
【図８】
2013125535.tif 000010